(57)【要約】【課題】  商品取出部の前後方向の寸法増大を抑えつつ商品の防盗を図った自動販売機を提供すること。【解決手段】  商品取出部１と、商品取出部１を閉塞する閉位置と、前扉３の前方側へ傾倒して商品取出部１を開放する開位置との間を回動自在に前扉３に取り付けられた蓋部材２と、蓋部材２の開位置への傾倒に伴って商品収納部と商品取出部１とを連絡する連絡通路を閉鎖するシャッター部材２２と、蓋部材２の回動と連動してシャッター部材２２が連絡通路を開閉するべく上下動するように蓋部材２とシャッター部材２２とを連結するリンク機構とを備えている。【選択図】        図６
2005032093.tif 000002
【特許請求の範囲】
【請求項１】
前扉に開口して形成され、商品収納部から払い出される商品を受け入れ可能な商品取出部と、
前記商品取出部を閉塞する閉位置と、前記前扉の前方側へ傾倒して前記商品取出部を開放する開位置との間を回動自在に前記前扉に取り付けられた蓋部材と、
前記蓋部材の前記開位置への傾倒に伴って、前記商品収納部と前記商品取出部とを連絡する連絡通路を閉鎖するシャッター部材とを備えた自動販売機において、
前記蓋部材の回動と連動して前記シャッター部材が前記連絡通路を開閉するべく上下動するように前記蓋部材と前記シャッター部材とを連結するリンク機構を設けたことを特徴とする自動販売機。
【請求項２】
前記シャッター部材の前方または後方への倒れを規制して、前記シャッター部材の上下動をガイドするガイド部材が前記シャッター部材の側縁部に対向して設けられていることを特徴とする請求項１に記載の自動販売機。
【請求項３】
前記商品取出部の底部を、前記商品取出部の一方の側壁部からこの側壁部に対向する他方の側壁部にかけて傾斜させ、前記底部の両側端部に高低の差をつけたことを特徴とする請求項１または請求項２に記載の自動販売機。
【請求項４】
前記前扉の一部が透明とされ前記商品収納部が前記前扉の前方側から視認可能となっており、前記商品収納部を照明する照明手段を前記商品取出部の側壁部の外側にまで延在させ、前記側壁部に、前記照明手段の光を前記商品取出部内にとり入れるための採光孔を形成したことを特徴とする請求項１乃至請求項３の何れかに記載の自動販売機。
【発明の詳細な説明】
【技術分野】
【０００１】
本発明は自動販売機に関し、更に詳しくは、商品取出部を閉塞する蓋部材を前方側に傾倒することによって商品取出部が開放されると共に、蓋部材の傾倒に連動して本体側から商品取出部への商品の連絡通路がシャッター部材にて閉鎖される自動販売機に関する。
【背景技術】
【０００２】
自動販売機における問題として、商品取出部から手や道具を差し込むなどして本体内部の商品を抜き取ってしまう盗難の問題がある。このような盗難を防止するべく従来より種々の工夫が試みられている。
【０００３】
例えば、特許文献１では、蓋部材を前扉の前方側に傾倒させると、蓋部材と一体とされたシャッター部材にて、本体側から商品取出部へと商品を落とし込むための連絡通路を閉鎖して、盗難の防止を図っている。
【特許文献１】特開２００２−２７９５０４号公報
【発明の開示】
【発明が解決しようとする課題】
【０００４】
しかし、特許文献１の構成では、シャッター部材は蓋部材の後縁部に一体的に形成され、蓋部材の傾倒動作に伴って後方から前方に弧を描くようにして動作する。蓋部材の閉位置への戻り動作時には前方から後方にやはり弧を描いて動作する。このようにシャッター部材が弧を描く軌跡でもって動作するので、商品を受ける空間の前後寸法の他に、その動作を許容するためのスペースを前後方向に確保しなければならない。
【０００５】
特に、商品を商品棚上に前後方向に並べ、なおかつ商品棚の前方に、商品棚と商品取出部との間を移動するバケットの移動空間を確保しなければならないような構造の自動販売機では前後方向の寸法が大きくなりがちであるので、極力前後方向に関して無駄なスペースを発生させたくないという要請がある。
【０００６】
本発明は上述の問題に鑑みてなされ、その目的とするところは、商品取出部の前後方向の寸法増大を抑えつつ商品の防盗を図った自動販売機を提供することにある。
【課題を解決するための手段】
【０００７】
以上の課題を解決するにあたり、本発明の自動販売機は、前扉に開口して形成され、商品収納部から払い出される商品を受け入れ可能な商品取出部と、商品取出部を閉塞する閉位置と、前扉の前方側へ傾倒して商品取出部を開放する開位置との間を回動自在に前扉に取り付けられた蓋部材と、蓋部材の開位置への傾倒に伴って商品収納部と商品取出部とを連絡する連絡通路を閉鎖するシャッター部材と、蓋部材の回動と連動してシャッター部材が連絡通路を開閉するべく上下動するように蓋部材とシャッター部材とを連結するリンク機構とを備えていることを特徴としている。
【０００８】
本発明によれば、シャッター部材と蓋部材とを一体的に結合させるのではなく、シャッター部材をリンク機構を介して蓋部材に連結させたので、回動動作される蓋部材に連動はするもののシャッター部材は回動動作されずに上下動をさせることが可能になる。これにより、シャッター部材の前後方向の動きを許容するためのスペースは必要なくなり、商品取出部の前後方向に関しての寸法増大を抑えることができる。
【発明の効果】
【０００９】
本発明では、商品取出部を開閉するための蓋部材と、商品収納部と商品取出部とを連絡する連絡通路を開閉するシャッター部材とをリンク機構を介して連結させ、蓋部材の開閉動作と連動してシャッター部材が上下動することで上記連絡通路が開閉されるようにしたので、商品取出部の前後方向に関しての寸法増大を抑えることができる。この結果、自動販売機全体としての前後方向の寸法増大を抑制でき、必要とする設置スペースの省スペース化が図れる。
【発明を実施するための最良の形態】
【００１０】
図１は本発明の実施の形態に係る自動販売機の商品取出部１の斜視図を示す。図示の状態は蓋部材２が前扉３の前方側に傾倒され商品取出部１が外部へと開放された状態である。図２は、図１の状態から更に蓋部材２が前方側へと傾倒され前扉３に対してほぼ垂直になった状態を示す。
【００１１】
蓋部材２は、前面パネル４と、この前面パネル４の内面側の左右の縁部に設けられる左右の側板５、６から構成される。前面パネル４には例えば透明な樹脂材料からなる窓部４ａが形成され、外部から商品取出部１内を視認可能となっている。
【００１２】
図８は一方の側板５を示す。側板５において前面パネル４に取り付けられる背面部の下方には丸孔５ａが形成されている。また、側板５には多数本の細長いスリット５ｂが形成されている。
【００１３】
図９は他方の側板６を示す。側板６においても前面パネル４に取り付けられる背面部の下方には丸孔６ａが形成されている。また、図９に示す側板６を［１０］−［１０］線方向から見た図１０に示すように、側板６の下端部には、側板６に対してほぼ垂直に張り出した２つの張出部７、８が形成されている。
【００１４】
張出部７には、矩形状のスリット７ａと円形状の切欠き７ｂとに挟まれたばね掛け部７ｃが形成されている。張出部８には、後述するレバー部材の長孔に入り込むレバー部材係合部８ａが形成されている。
【００１５】
両側板５、６の丸孔５ａ、６ａは、商品取出部１の出口部下端に固定される軸部材９（図５参照）に嵌合され、この嵌合箇所を支点に蓋部材２は、商品取出部１を閉塞する閉位置（図５の状態）と、前扉３の前方側へ傾倒して商品取出部１を開放する開位置（図１、２、６の状態）との間を回動自在となっている。
【００１６】
上記商品取出部１は、図７に示される枠体１０によって、商品を受け入れ可能な空間として画成される。なお、図７は枠体１０の上面図である。図７、および商品取出部１を背面側から見た図３を参照して枠体１０について説明すると、枠体１０は、相対向する１対の側壁部１２、１３と、これら側壁部１２、１３の上端部に連結される天板部１１とから構成される。
【００１７】
両側壁部１２、１３の後端部１５、１６はほぼ直角に屈曲されている。また図７に示すように、両側壁部１２、１３においてその後端部１５、１６寄りの箇所には規制板１８、１９が取り付けられている。規制板１８、１９は後端部１５、１６と同様、上下方向に延在しており、後端部１５、１６の前面に対向している。これら後端部１５、１６および規制板１８、１９とから、後述するシャッター部材２２の上下動をガイドするガイド部材が構成される。
【００１８】
側壁部１３の下端部には、図４に示すように、側壁部１３に対してほぼ垂直に張り出した張出部１７が形成されている。張出部１７には、矩形状の切欠き１７ｂと丸孔１７ａとに挟まれたばね掛け部１７ｃが形成されている。
【００１９】
また、図７に示すように、側壁部１２の外側には照明手段として例えば蛍光灯２０が配設されている。蛍光灯２０は、前扉３内を上下方向に沿って延在している。この蛍光灯２０に対向する側壁部１２には複数の採光孔１４（図３参照）が形成され、蛍光灯２０からの光をその採光孔１４を通して商品取出部１内にとり入れることができるようになっている。
【００２０】
上記蓋部材２と枠体１０との間には、蓋部材２を図５に示す閉位置状態へと付勢するコイルばね２１が掛けわたされている。具体的には、コイルばね２１の一端部は図１０に示す蓋部材２の側板６に設けられたばね掛け部７ｃに掛けられ、他端部は図４に示す枠体１０の側壁部１３に設けられたばね掛け部１７ｃに掛けられている。
【００２１】
図５に示すように、蓋部材２はリンク機構を介して後述するシャッター部材２２と連結されている。リンク機構は、蓋部材２とシャッター部材２２とを連結する連結板２３と、この連結板２３とシャッター部材２２との連結部と、蓋部材２との間を連結するレバー部材２４とを備えている。
【００２２】
図１４は連結板２３の側面図を示し、図１３は図１４に示す連結板２３の上面図を示す。連結板２３は、鈍角を形成して一体的に接続された３つの板部２７ａ、２７ｂ、２７ｃを有し、前端部２５及び後端部２６は筒状に丸められている。図１３に示すように、前端部２５は横方向（連結板２３の長尺方向）に関してひとつながりとなっているが、後端部２６は３つに分割されている。
【００２３】
図５に示すように、連結板２３の前端部２５は、商品取出部１の出口部下端に固定される軸部材９に嵌合され、この軸部材９に対して回動自在となっている。
【００２４】
連結板２３の後端部２６には、商品取出部１内で横方向に延在する軸部材２８（図３、４、５参照）が通される。軸部材２８の両端部は枠体１０の側壁部１２、１３とは干渉しておらず、この軸部材２８に嵌合する後述するレバー部材２４の動作によって商品取出部１内を移動できるようになっている。
【００２５】
また、軸部材２８にはシャッター部材２２が連結されている。図１１はシャッター部材２２の正面図を示し、図１２は図１１に示すシャッター部材２２を［１２］−［１２］線方向から見た側面図を示す。
【００２６】
シャッター部材２２は、その下端部３０は筒状に丸められ、上端部２９は下端部３０の出っ張り方向とは反対側に折り返されている。下端部３０は横方向（シャッター部材２２の長尺方向）に関して２つに分割されている。上端部２９寄りの側縁部３１ａ、３１ｂは、他の部分の側縁部よりも横方向に張り出している。
【００２７】
シャッター部材２２の下端部３０には上記軸部材２８が通され、この軸部材２８を介してシャッター部材２２は上記連結板２３と連結される。すなわち、図３に示すように、連結板２３の３分割された後端部２６の間に、シャッター部材２２の２分割された下端部３０が位置合わせされ、連結板２３の後端部２６とシャッター部材２２の下端部３０とが一直線状に整列され、これら後端部２６及び下端部３０に軸部材２８が通される。
【００２８】
図５に示すように、シャッター部材２２は、その上端部２９側が後方に倒れた傾いた姿勢で商品取出部１内に配設される。シャッター部材２２の上端部２９寄りの側縁部３１ａ、３１ｂ（図１１参照）は、図７に示す枠体１０の両側壁部１２、１３の後端部１５、１６と、規制板１８、１９との間に位置され、シャッター部材２２の側縁部３１ａ、３１ｂは、枠体１０の後端部１５、１６の前面（内面）に当接している（図３、５参照）。
【００２９】
また、図５に示すように、上記軸部材２８には、レバー部材２４の下端部が連結されている。レバー部材２４の上半分ほどには長孔２４ａがレバー部材２４の長尺方向に沿って形成されている。この長孔２４ａ内には、図１０に示す蓋部材２の側板６の下端部に設けられたレバー部材係合部８ａが入り込んでいる。図５に示す蓋部材２の閉位置状態では、レバー部材係合部８ａは長孔２４ａの下端部寄りに位置される。
【００３０】
以上のように軸部材２８には、連結板２３の後端部２６、シャッター部材２２の下端部３０、レバー部材２４の下端部が連結されており、これらの各々が軸部材２８に対して回動自在となっている。
【００３１】
連結板２３には、図１５〜図１７に示す底板３２が取り付けられ、この底板３２によって商品取出部１の底部が構成される。図１５は底板３２の上面図を示し、図１６は図１５に示す底板３２の［１６］−［１６］線方向から見た正面図を示し、図１７は図１５に示す底板３２の［１７］−［１７］線方向から見た側面図を示す。
【００３２】
底板３２は、商品受け部３３と、この商品受け部３３の一側端部から下方に垂下して一体的に接続された側面部３４とを有し、商品受け部３３は側面部３４が接続された一側端部から他側端部に向けて下向き傾斜している。したがって、商品受け部３３の一側端部と他側端部との間には高低の落差がついている。
【００３３】
商品受け部３３は平坦ではなく、前後方向に関してゆるやかに下に凸状に湾曲している。また、底板３２自体は例えば鋼板からなるが、商品受け部３３の表面には例えばポリエチレンシートが貼り付けられている。これにより、商品との摩擦を低減させて、後述する作用により商品の姿勢矯正を行い易くなる。
【００３４】
図１８は、上記底板３２が連結板２３に取り付けられた状態の上面図を示し、図１９は底板３２が連結板２３に取り付けられた状態の側面図を示す。底板３２はその長尺方向を連結板２３の長尺方向に沿わせた状態で連結板２３の上に配置され、底板２３の両側端部側に形成された取付部３５、３６を連結板２３に対して例えば溶接などで固定させる。
【００３５】
図１に示すように、前扉３において、商品取出部１の上方には透明パネル４０が嵌め込まれ、この透明パネル４０を通して、図示しない本体側の商品収納部及びこの商品収納部に収納される商品を前扉３の外側から視認可能となっている。商品収納部には、複数段の商品棚が配設され、各商品棚上には複数の商品コラムが形成され、各商品コラムは前後方向に延在している。そして、商品は、各商品コラム内で立った姿勢でもって前後方向に沿って並んで収納される。
【００３６】
また、図７に示した上記蛍光灯２０は商品収納部にまで延びており、商品収納部内を照明可能となっている。
【００３７】
商品収納部と前扉３との間にはバケット及びバケットの移動手段が配設されている。バケットは各商品コラムの前方に対向する位置と、商品取出部１の背面に対向する位置との間を縦横方向に移動自在となっている。したがって、商品収納部と前扉３との間にはバケットの移動を許容するための空間が形成されている。
【００３８】
［商品購入の流れ］
購入者が前扉３の前面に設けられた商品選択ボタン押すと、この信号を受け、バケットが選択された商品コラムまで移動し、その商品コラムの前で停止する。そして、図示しない商品送出手段によって商品コラムから商品がバケット内に移載されると、バケットは下方の商品取出部１に向けて移動を開始する。
【００３９】
バケットが、商品取出部１の背面に対向する位置（真後ろではなく商品取出部１の位置よりやや上方位置）に至るとその位置で停止して、バケット内のベルトが駆動されて商品が前方側に送り出され、商品は、本体部の前面パネルに形成された連絡口４２（図２参照）を通って商品取出部１内に送られる。このときは、まだ蓋部材２は閉じられ、なおかつシャッター部材２２は上記連絡口４２の前方側を閉鎖しておらず、商品の商品取出部１内への入り込みを妨げない。
【００４０】
例えば、ボトル飲料、紙パック飲料などの商品はその底面を手前側に向けた状態で連絡口４２から出され、透明なフラッパ４１（図２参照）を手前側に回動させて商品取出部１内に入ってくる。フラッパ４１は商品取出部１の背面側に設けられ、上端部を支点に回動自在となっている。
【００４１】
底面を手前側に向けて入ってきた商品は、商品取出部１の底部を構成する底板３２の商品受け部３３の落差によって姿勢矯正される。すなわち、商品受け部３３の低くなっている側端部の方へと商品の底面が導かれるようにして落ちていき、商品は商品受け部３３上で横になった姿勢で支持される。これによって、丈の長いボトル飲料などであっても、商品取出部１内で引っかかってしまうことなく商品受け部３３上に載せることができ、結果として蓋部材２を開けたときの商品取出部１からの商品の取り出しを容易にする。
【００４２】
また、側壁部１２に形成された採光孔１４及び蓋部材２の側板５に形成されたスリット５ｂを通して、蛍光灯２０（図７参照）からの光を商品取出部１内にとり入れることができるので、周囲が暗い環境下でも商品取出部１内に収められた商品を、蓋部材２の透明窓４ａを通して視認できる。元々、外部から視認可能とされる商品収納部内の照明用として設けられていた蛍光灯２０を、商品取出部１の側壁部１２に対向する位置まで下方に延在させて、この蛍光灯２０の光を商品取出部１の照明用としても兼用させているので、大きな設計変更やコスト増大を要しない。
【００４３】
購入者が、蓋部材２の透明窓４ａを通して商品取出部１内に商品が払い出されたことを確認すると、蓋部材２に手をかけて蓋部材２を前方側に傾倒させて商品取出部１を外部に開放させる。
【００４４】
図５の閉位置から蓋部材２が軸部材９を支点に前方（図において左方）側に傾倒されると、蓋部材２の側板６は軸部材９を支点に前方側に回動し始める。この回動に伴って、側板６の下端部に設けられたレバー部材係合部８ａ（図１０参照）がレバー部材２４の長孔２４ａ内を上方に移動していく。
【００４５】
そして、レバー部材係合部８ａが長孔２４ａの上部内壁面に当接して、レバー部材２４を持ち上げる。レバー部材２４が持ち上げられると、レバー部材２４の下端部に通されている軸部材２８も持ち上げられる。
【００４６】
これにより、軸部材２８に下端部３０が連結されているシャッター部材２２も持ち上げられ、図６に示すように、上端部２９側が後方に倒れた傾いた姿勢のまま、なおかつ側縁部３１ａ、３１ｂ（図１１参照）が枠体１０の後端部１５、１６の前面（内面）に当接した状態で上方に移動される。
【００４７】
このシャッター部材２２の上方への移動によって、図２に示すように、連絡口４２の前方をシャッター部材２２が遮る。すなわち、連絡口４２から商品取出部１内へと至る連絡通路が閉鎖される。なお、本実施の形態ではシャッター部材２２は連絡口４２の全てを遮るのではなく下半分あるいは下３分の２ほどを遮る。残りの部分は、シャッター部材２２の手前側に重なるフラッパ４１によって遮られる。もちろん、シャッター部材２２で連絡口４２の全てを遮るようにしてもよい。これにより、連絡口４２内部への手や道具の浸入を遮ることができ、商品の抜き取りを防ぐことができる。
【００４８】
また、軸部材２８が持ち上げられることによって、この軸部材２８に連結されている連結板２３の後端部２６も持ち上げられ、図６に示すように、連結板２３は軸部材９に嵌合している前端部２５を支点に前方側へと回動する。
【００４９】
この連結板２３の回動によって、連結板２３に取り付けられている底板３２の商品受け部３３が手前側に向くようになり、その商品受け部３３上に載せられた商品を手でつかんでの取り出しが容易になる。
【００５０】
商品を取り出し、蓋部材２から手を離すと、蓋部材２の開位置への移動によって、商品取出部１の側壁部１３と蓋部材２の側板６との間で伸ばされたコイルばね２１（図６の状態）の復元力により蓋部材２は図５に示す閉位置へと戻される。
【００５１】
この蓋部材２の戻り動作に伴って、レバー部材２４を介して蓋部材２と連結された軸部材２８も図５に示す位置へと戻り、よって軸部材２８に連結されたシャッター部材２２も下方に移動して図５に示す位置に戻る。シャッター部材２２は、上方への移動時と同様に、上端部２９側が後方に倒れた傾いた姿勢のまま、なおかつ側縁部３１ａ、３１ｂ（図１１参照）が枠体１０の後端部１５、１６の前面（内面）に当接した状態で下方に移動される。
【００５２】
これにより、連絡口４２の前方を遮る位置からシャッター部材２２が外れ、次の商品購入時における連絡口２４を介しての商品取出部１内への商品の入り込みを妨げない。なお、フラッパ４１は、商品取出部１の背面側で上端部を支点に回動自在に設けられており、連絡口４２から出てくる商品はフラッパ４１を手前側に回動させて商品取出部１内に入ってくる。
【００５３】
以上述べたように、蓋部材２の回動動作に伴うシャッター部材２２の動作は上下動であるので、上記特許文献１のように商品取出部１の後方に無駄なスペースが形成されることなく、商品取出部１内の前後（奥行き）方向の省スペース化が図れる。
【００５４】
また、シャッター部材２２は、側壁部１２、１３の後端部１５、１６によって後方へのそれ以上の倒れが規制され、更に後端部１５、１６に対向する規制板１８、１９によって前方への倒れが規制されているので、シャッター部材２２の上下動を安定して行うことができる。
【００５５】
本実施の形態の自動販売機はいわゆるシースルータイプの自動販売機であり、商品収納部及びこれに収納される商品は透明パネル４０（図１）を介して外部から視認可能となっている。なお、商品取出部１は、人がかがまなくても商品を取り出せるように自動販売機の高さ方向に関して中くらいの高さに位置され、図１には示さないが、商品取出部１の下方にも透明パネル及びこの透明パネルを通して視認可能な商品収納部が存在している。
【００５６】
その商品収納部の手前側に位置する商品取出部１にシャッター部材２２を設けるにあたっては、上述したように商品取出部１の前後方向の寸法増大を来さないので、その分商品収納部にスペースを割け、より多くの商品を収納することができる。商品収納部の商品は上述したようにバケットによって、商品収納部と商品取出部１との間の空間を運ばれて、商品取出部１の背面に対向する位置から商品取出部１へと入ってくる。
【００５７】
したがって、商品収納部から商品取出部１への連絡通路は略前後方向に延び、この連絡通路を遮るあるいはそれを解除するためには、シャッター部材２２の動きとしては上下方向にスライドさせるという動作だけよい。これに対して、上記特許文献１のように連絡通路が商品取出部の上方に開口している構成ではその開口を閉鎖するべくシャッター部材を前方側に弧を描くように動作させる必要がある。
【００５８】
以上、本発明の実施の形態について説明したが、勿論、本発明はこれに限定されることなく、本発明の技術的思想に基づいて種々の変形が可能である。
【００５９】
シャッター部材２２は上記実施の形態では、上端部２９側が後方に倒れた傾いた姿勢で上下動するとしたが、垂直に立った姿勢でもって上下動するようにしてもよい。
【図面の簡単な説明】
【００６０】
【図１】本発明の実施の形態に係る自動販売機の商品取出部の斜視図であり、蓋部材が前方側に傾倒された状態を示す。
【図２】図１とは別角度から見た商品取出部の斜視図である。
【図３】商品取出部の背面図である。
【図４】商品取出部の背面における要部拡大図である。
【図５】商品取出部の側面図であり、蓋部材が閉じている状態を示す。
【図６】図５の状態から蓋部材が前方側に傾倒された状態の側面図である。
【図７】商品取出部を画成する枠体の上面図である。
【図８】蓋部材の一方の側板の側面図である。
【図９】蓋部材の他方の側板の側面図である。
【図１０】図９の側板を［１０］−［１０］線方向から見た平面図である。
【図１１】シャッター部材の正面図である。
【図１２】図１１のシャッター部材を［１２］−［１２］線方向から見た側面図である。
【図１３】蓋部材とシャッター部材とを連結する連結板の上面図である。
【図１４】図１３の連結板の側面図である。
【図１５】商品を受ける底板の平面図である。
【図１６】図１５の底板を［１６］−［１６］線方向から見た正面図である。
【図１７】図１５の底板を［１７］−［１７］線方向から見た側面図である。
【図１８】連結板に底板が組み付けられた状態の平面図である。
【図１９】連結板に底板が組み付けられた状態の側面図である。
【符号の説明】
【００６１】
１…商品取出部、２…蓋部材、３…前扉、１０…枠体、１２…側壁部、１３…側壁部、１４…採光孔、１５…側壁部１２の後端部、１６…側壁部１３の後端部、１８…規制板、１９…規制板、２０…照明手段、２２…シャッター部材、２３…連結板、２４…レバー部材、３１ａ…側縁部、３１ｂ…側縁部、３２…底板。
【図１】
2005032093.tif 000003
【図２】
2005032093.tif 000004
【図３】
2005032093.tif 000005
【図４】
2005032093.tif 000006
【図５】
2005032093.tif 000007
【図６】
2005032093.tif 000008
【図７】
2005032093.tif 000009
【図８】
2005032093.tif 000010
【図９】
2005032093.tif 000011
【図１０】
2005032093.tif 000012
【図１１】
2005032093.tif 000013
【図１２】
2005032093.tif 000014
【図１３】
2005032093.tif 000015
【図１４】
2005032093.tif 000016
【図１５】
2005032093.tif 000017
【図１６】
2005032093.tif 000018
【図１７】
2005032093.tif 000019
【図１８】
2005032093.tif 000020
【図１９】
2005032093.tif 000021